(57)【要約】【課題】  ネットワーク接続された使用者の端末機器にて、画像形成装置の各種情報の参照するための情報表示ページを各使用者が任意に変更できるようにした画像形成装置と、その各種情報表示方法および表示プログラムを提供する。【解決手段】  画像形成装置の動作に関する各種情報をネットワーク３００を介して接続された端末機器４１０にて参照・設定することが可能な画像形成装置１０において、上記各種情報を表わす情報表示ページ２１０として、使用者が選択した情報項目がそれぞれ指定した位置に表示される当該使用者固有の情報表示ページ（マイページ）２３０が上記端末機器に画面表示されるように、画像形成装置１０を構成する。【選択図】  図５
2006155356.tif 000002
【特許請求の範囲】
【請求項１】
画像形成装置の動作に関する各種情報をネットワークを介して接続された端末機器にて参照・設定することが可能な画像形成システムであって、
上記各種情報を表わす情報表示ページとして、使用者が選択した情報項目がそれぞれ指定した位置に表示される当該使用者固有の情報表示ページ（マイページ）が上記端末機器に画面表示される
ことを特徴とする画像形成システム。
【請求項２】
上記マイページを構成するためのマイページ情報に関する各情報項目および表示位置を含むフォーマットが、上記端末機器にて任意に変更され得る
ことを特徴とする請求項１に記載の画像形成システム。
【請求項３】
上記マイページの各情報項目のうち、少なくとも一つの情報項目に関して、上記端末機器にて設定変更され得る
ことを特徴とする請求項１または２に記載の画像形成システム。
【請求項４】
画像形成装置の動作に関する各種情報が、それぞれＩＤ化されており、
上記マイページ情報が、各情報項目として、対応するＩＤを埋め込まれたテンプレートと、各ＩＤに対応する設定値としてのデータ、から構成されていて、
上記端末機器からマイページが呼び出されたとき、画像形成装置の制御手段が、上記テンプレートの各ＩＤを対応する文字情報に置き換えて、各ＩＤに対応するデータと共にマイページ情報としてネットワークを介して上記端末機器に送信する
ことを特徴とする請求項３に記載の画像形成システム。
【請求項５】
情報項目の設定変更の際に、上記端末機器から画像形成装置に対して、設定変更された情報項目に対応するＩＤおよび設定値がネットワークを介して送信されてきたとき、上記制御手段が、この設定値に基づいて、対応する各種情報の設定変更を行なう
ことを特徴とする請求項４に記載の画像形成システム。
【請求項６】
上記マイページ情報のフォーマットがＨＴＭＬまたはＸＭＬ等のブラウザ用フォーマットである
ことを特徴とする請求項１〜５のいずれかに記載の画像形成システム。
【請求項７】
上記マイページ情報のフォーマットが画像形成装置側に登録されている
ことを特徴とする請求項１〜６のいずれかに記載の画像形成システム。
【請求項８】
上記マイページ情報のフォーマットが画像形成装置側に登録されず、
上記制御手段が、上記端末機器からマイページの呼出しの際に同時に送られて来るマイページの設定情報に基づいて、各ＩＤを対応する文字情報に置き換えて、各ＩＤに対応するデータと共にマイページ情報としてネットワークを介して上記端末機器に送信する
ことを特徴とする請求項５に記載の画像形成システム。
【請求項９】
上記制御手段が、マイページ設定時に作成されたマイページ情報の設定項目に関するクッキー情報に基づいて、マイページ情報を作成する
ことを特徴とする請求項８に記載の画像形成システム。
【請求項１０】
画像形成装置の動作に関する各種情報をネットワークを介して接続された端末機器にて参照・設定することが可能な画像形成装置の各種情報表示方法であって、
上記各種情報を表わす情報表示ページとして、使用者が選択した情報項目がそれぞれ指定した位置に表示される当該使用者固有の情報表示ページ（マイページ）に関するマイページ情報を作成するステップと、
上記マイページ情報をネットワークを介して使用者の端末機器に送信するステップと、
上記端末機器がその表示部に上記マイページ情報を画面表示するステップと、を有した
ことを特徴とする画像形成装置の各種情報表示方法。
【請求項１１】
画像形成装置の動作に関する各種情報をネットワークを介して接続された端末機器にて参照・設定する処理をコンピュータに実行せるための画像形成装置の各種情報表示プログラムであって、
上記各種情報を表わす情報表示ページとして、使用者が選択した情報項目がそれぞれ指定した位置に表示される当該使用者固有の情報表示ページ（マイページ）に関するマイページ情報を作成する手順と、
上記マイページ情報をネットワークを介して使用者の端末機器に送信する手順と、
上記端末機器にてその表示部に上記マイページ情報を画面表示させる手順と、をコンピュータに実行させる
ことを特徴とする画像形成装置の各種情報表示プログラム。
【発明の詳細な説明】
【技術分野】
【０００１】
本発明は、ネットワークを介して端末機器に接続される例えばコピー機，プリンタ，ファクシミリ装置等の画像形成装置に関し、特に端末機器における各種情報の参照・設定のための情報表示ページに関する。
【背景技術】
【０００２】
従来、例えばコピー機，プリンタ，ファクシミリ装置等の画像形成装置において、ネットワークに接続されていて、同様にネットワークに接続されたパーソナルコンピュータ等の端末機器にて、当該画像形成装置の動作状態，設定情報等を参照し、さらには設定変更することができるものがある。
【０００３】
ここで、今日の画像形成装置は、非常に多くの機能を備えるようになってきており、単に印刷を行なうだけではなく、ネットワーク接続により、メール送受信やファクシミリ送信等も行なうことができる。
このため、画像形成装置の設定情報としては、従来のプリンタにおけるプリンタドライバの各種項目の設定だけではなく、ネットワーク接続のための設定、メール送受信のためのＰＯＰ３やＳＭＴＰ等の設定、あるいはファクシミリの接続設定等、多岐に亘っている。
【０００４】
したがって、例えば上記端末機器でこれらの設定情報を参照する場合、これらの設定情報に関する情報表示ページは、各カテゴリ毎に分類されていて、各カテゴリ毎に別ページとして表示されるようになっている。
さらに、多くのカテゴリを効率的に表示するために、各カテゴリに対応する情報表示ページは、一般的に、階層的に構成されている。
このため、例えば一つのカテゴリの情報表示ページにて設定情報を参照した後、異なるカテゴリの情報表示ページにて設定情報を参照したい場合には、一旦上層のカテゴリの情報表示ページに移動した後、所望のカテゴリの情報表示ページに移動する必要があり、操作が煩雑になってしまう。
【０００５】
これに対して、特許文献１によれば、上述した設定情報に関する情報表示ページがカスタマイズされるようにしたコンテンツ再利用処理システムが開示されている。
【特許文献１】特開２００３−２４８７３０号
【発明の開示】
【発明が解決しようとする課題】
【０００６】
しかしながら、特許文献１によるコンテンツ再利用処理システムにおいては、情報表示ページが、製品の設計者によりカスタマイズされるようになっており、製品完成後に、使用者が情報表示ページのカスタマイズを行なうことはできない。したがって、個々の使用者が、例えば自分でよく利用する設定情報を選択して、情報表示ページをカスタマイズするようなことは不可能であった。
【０００７】
本発明は、上記の問題を解決すべくなされたものであり、ネットワーク接続された使用者の端末機器にて、画像形成装置の各種情報の参照するための情報表示ページを各使用者が任意に変更できるようにした画像形成システムと、画像形成装置の各種情報表示方法および表示プログラムの提供を目的とする。
【課題を解決するための手段】
【０００８】
この目的を達成するため、本発明の請求項１記載の画像形成システムは、画像形成装置の動作に関する各種情報をネットワークを介して接続された端末機器にて参照・設定することが可能な画像形成システムであって、上記各種情報を表わす情報表示ページとして、使用者が選択した情報項目がそれぞれ指定した位置に表示される当該使用者固有の情報表示ページ（マイページ）が上記端末機器に画面表示される構成としてある。
【０００９】
画像形成システムをこのような構成とすると、使用者は、自分がよく参照したり設定変更する情報項目をマイページに登録することにより、当該使用者専用のマイページを設定することができる。これにより、使用者は、端末機器にてマイページを呼び出すことにより、マイページで設定した各情報項目について、画像形成装置からネットワークを介して送られてくるマイページ情報により参照することができる。したがって、マイページで設定した各情報項目については、カテゴリ毎の情報表示ページ間を移動することなく、一画面にて参照することができるので、操作が簡便となる。
【００１０】
また、請求項２記載の画像形成システムは、上記マイページを構成するためのマイページ情報に関する各情報項目および表示位置を含むフォーマットが、上記端末機器にて任意に変更され得る構成としてある。
画像形成システムをこのような構成とすると、使用者は、自分の端末機器にてマイページの画面構成を任意に設定変更することができ、当該使用者固有のカスタマイズを行なうことが可能である。
【００１１】
また、請求項３記載の画像形成システムは、上記マイページの各情報項目のうち、少なくとも一つの情報項目に関して、上記端末機器にて設定変更され得る構成としてある。
画像形成システムをこのような構成とすると、使用者は、端末機器に表示されるマイページから、所望の情報項目の設定変更を容易に行なうことができる。
【００１２】
また、請求項４記載の画像形成システムは、画像形成装置の動作に関する各種情報が、それぞれＩＤ化されており、上記マイページ情報が、各情報項目として、対応するＩＤを埋め込まれたテンプレートと、各ＩＤに対応する設定値としてのデータ、から構成されていて、上記端末機器からマイページが呼び出されたとき、画像形成装置の制御手段が、上記テンプレートの各ＩＤを対応する文字情報に置き換えて、各ＩＤに対応するデータと共にマイページ情報としてネットワークを介して上記端末機器に送信する構成としてある。
画像形成システムをこのような構成とすると、各情報項目をＩＤ化しておくことにより、マイページ情報の情報量をできるだけ少なくすることができるので、マイページ情報を保存しておくための記憶容量が少なくて済み、またマイページ情報をネットワークを介して送受信する際のデータ量が少なくて済むことになる。
【００１３】
また、請求項５記載の画像形成システムは、情報項目の設定変更の際に、上記端末機器から画像形成装置に対して、設定変更された情報項目に対応するＩＤおよび設定値がネットワークを介して送信されてきたとき、上記制御手段が、この設定値に基づいて、対応する各種情報の設定変更を行なう構成としてある。
画像形成システムをこのような構成とすると、設定変更された情報項目に対応するＩＤおよび設定値のみをネットワークを介して端末機器から画像形成装置に送信することにより、少ないデータ送信量で、所望の設定変更を行なうことが可能となる。
【００１４】
また、請求項６記載の画像形成システムは、上記マイページ情報のフォーマットがＨＴＭＬまたはＸＭＬ等のブラウザ用フォーマット構成としてある。
画像形成システムをこのような構成とすると、端末機器側では、既にインストールされているブラウザを利用して、マイページ情報を容易に画面表示させることができるので、専用のソフトウェア等をインストールする必要がない。
【００１５】
また、請求項７記載の画像形成システムは、上記マイページ情報のフォーマットが画像形成装置側に登録されている構成としてある。
画像形成システムをこのような構成とすると、使用者が端末機器からマイページの呼出し指令を画像形成装置に対して送信するだけで、当該使用者専用のマイページ情報が画像形成装置から送信されることになる。
【００１６】
また、請求項８記載の画像形成システムは、上記マイページ情報のフォーマットが画像形成装置側に登録されず、上記制御手段が、上記端末機器からマイページの呼出しの際に同時に送られて来るマイページの設定情報に基づいて、各ＩＤを対応する文字情報に置き換えて、各ＩＤに対応するデータと共にマイページ情報としてネットワークを介して上記端末機器に送信する構成としてある。
画像形成システムをこのような構成とすると、画像形成装置側では、各使用者のマイページ情報を登録する必要がないので、限りあるメモリ容量を有効利用することができることになる。
【００１７】
また、請求項９記載の画像形成システムは、上記制御手段が、マイページ設定時に作成されたマイページ情報の設定項目に関するクッキー情報に基づいて、マイページ情報を作成する構成としてある。
画像形成システムをこのような構成とすると、各使用者の端末機器に、マイページ情報の設定項目に関するクッキー情報が保存されているので、各使用者は、マイページ情報が画像形成装置側に保存されているかのように、このクッキー情報に基づいて端末機器に表示されるマイページを参照することができる。
【００１８】
また、請求項１０記載の画像形成装置の各種情報表示方法は、画像形成装置の動作に関する各種情報をネットワークを介して接続された端末機器にて参照・設定することが可能な画像形成装置の各種情報表示方法であって、上記各種情報を表わす情報表示ページとして、使用者が選択した情報項目がそれぞれ指定した位置に表示される当該使用者固有の情報表示ページ（マイページ）に関するマイページ情報を作成するステップと、上記マイページ情報をネットワークを介して使用者の端末機器に送信するステップと、上記端末機器がその表示部に上記マイページ情報を画面表示するステップと、を有した方法としてある。
このように、本発明は、方法としても実現化することができる。
【００１９】
また、請求項１１記載の画像形成装置の各種情報表示プログラムは、画像形成装置の動作に関する各種情報をネットワークを介して接続された端末機器にて参照・設定する処理をコンピュータに実行せるための画像形成装置の各種情報表示プログラムであって、上記各種情報を表わす情報表示ページとして、使用者が選択した情報項目がそれぞれ指定した位置に表示される当該使用者固有の情報表示ページ（マイページ）に関するマイページ情報を作成する手順と、上記マイページ情報をネットワークを介して使用者の端末機器に送信する手順と、上記端末機器にてその表示部に上記マイページ情報を画面表示させる手順と、をコンピュータに実行させる構成としてある。
このように、本発明は、プログラムとしても実現化することができる。
【発明の効果】
【００２０】
このように、本発明によれば、使用者は、画像形成装置からネットワークを介して送られてくるマイページ情報に基づいてマイページを端末機器に画面表示させることにより、マイページで設定した各情報項目について参照し、必要に応じて設定変更することができる。これにより、マイページで設定した各情報項目については、カテゴリ毎の情報表示ページ間を移動することなく、一画面にて参照・設定することができるので、各情報項目の参照・設定のための操作が簡便となる。
【発明を実施するための最良の形態】
【００２１】
［第一実施形態］
以下、本発明の画像形成システムおよび画像形成装置の各種情報表示方法の第一の実施形態について、図１を参照して説明する。
図１は、本発明による画像形成システムに備えられる画像形成装置の構成を示している。
図１に示すように、画像形成装置１０は、画像形成装置本体１００と、制御手段２００と、から構成されている。
【００２２】
上記画像形成装置本体１００は、公知の構成であって、例えばプリンタ機能，ファクシミリ機能，メール送受信機能等を備えるように構成されている。
【００２３】
上記制御手段２００は、例えば上記画像形成装置本体１００内に組み込まれており、図２に示すように、ネットワーク３００に対してネットワーク接続されており、このネットワーク３００を介して使用者４００の端末機器４１０に対して接続されている。
ここで、図示の場合、使用者４００および端末機器４１０は、一つのみが示されているが、実際にはネットワークを介して複数の使用者４００の端末機器４１０が接続されるようになっている。
なお、本実施形態の画像形成システム１は、画像形成装置（画像形成装置本体１００）と、端末機器４１０と、ネットワーク３００とにより構成される。
【００２４】
ここで、上記制御手段２００は、上記画像形成装置本体１００の動作に関する各種情報を読み出し、あるいは設定・設定変更するようになっている。
その際、上記制御手段２００は、これら各種情報をＩＤ化して、ＩＤと設定値を関連付けて登録・管理しており、これら各種情報の参照や設定の際には、上記ＩＤに基づいて、各情報とその設定値の参照・設定を行なうと共に、各種情報の参照・設定のための情報表示ページを例えばＨＴＭＬフォーマットで作成して、ネットワーク３００を介して使用者４００の端末機器４００に送信する。
【００２５】
これにより、当該端末機器４００では、前もってインストールされているブラウザにより、この情報表示ページを参照し、所定の情報項目については、設定変更を指示することができるようになっている。
尚、上述した情報表示ページは、従来と同様の階層式に各カテゴリ毎に作成された情報表示ページである。
【００２６】
具体的には、情報表示ページの表示の際には、上記制御手段２００は、図３（Ａ）に示すように、情報表示ページ２１０として、ＩＤ化された情報が記載されたＨＴＭＬテンプレート２１１を作成し、端末機器４１０からの呼出しに対応して、図３（Ｂ）に示すように、ＩＤをそれぞれ情報に置き換えたＨＴＭＬデータ２１２を作成して、端末機器４１０に送信する。
これにより、端末機器４１０では、図３（Ｃ）に示すように、ブラウザによって、上記ＨＴＭＬデータに基づいて、所定の情報表示ページ２１０が画面表示される。
【００２７】
また、情報項目の設定変更の際には、端末機器４１０は、図４（Ａ）に示すように、上記制御手段２００から送信されてきた設定変更ページ２２０を画面表示させて、各設定項目の設定値入力欄２２１に、所望の設定値を入力し、設定更新ボタン２２２をクリックすることにより、端末機器４１０は、各設定値入力欄２２１の情報項目に対応するＩＤおよび設定値を、ネットワーク３００を介して、画像形成装置１０の制御手段２００に送信する。
これを受けて、上記制御手段２００は、これらのＩＤおよび設定値に基づいて、既に設定されているＩＤに対する設定値を設定変更し、登録更新する。
【００２８】
また、上記制御手段２００は、上述した情報表示ページ２１０とは別に、当該使用者４００毎に、端末機器４１０からの設定情報に基づいて当該使用者固有の情報表示ページ（以下、マイページという）２３０を設定し、当該端末機器４１０からの呼出しに応じて、このマイページに関する情報（マイページ情報）２３１をネットワーク３００を介して端末機器４１０に送信する。
【００２９】
これにより、各使用者４００は、自分の端末機器４１０に表示されるマイページ２３０により、所望の情報項目のみを参照・設定することができるようになっている。
さらに、上記マイページは、表示された各情報項目のうち、設定可能な情報項目について、設定変更を行なうことができるようになっている。
【００３０】
ここで、前述した情報表示ページ２１０，設定変更ページ２２０およびマイページ２３０は、一つのメニューに組み込まれており、図５（Ａ）に示すように、情報表示ページ２１０のフォーマットの画面左端のフレーム２１３に、各カテゴリおよびマイページの選択ボタン２１４が配置されると共に、右上に、選択されたカテゴリタイトル２１５，その下に、サブメニュー名２１６，その下方のフレーム２１７に、図５（Ａ）〜（Ｃ）に示すように、マイページ２３０の参照画面，設定登録画面が配置されている。
そして、サブメニューを利用することにより、例えばカテゴリ毎に階層化した各種情報項目が選択的に画面表示され得るようになっている。
【００３１】
これにより、左端のフレーム２１３のマイページの選択ボタン２１４ａをクリックすることにより、端末機器４１０からマイページ呼出し指令が、ネットワーク３００を介して上記制御手段２１０に送信され、これに基づいて、制御手段２１０が、マイページ情報２３１をネットワーク３００を介して当該端末機器４１０に送信するようになっている。
【００３２】
ここで、マイページ２３０の参照画面は、図５（Ａ）に示すように、前もって設定された情報項目について、設定値（図示せず）が表示されるようになっている。
また、マイページ２３０の設定登録画面は、図５（Ｂ）に示すように、入力欄２３２に、所望の情報項目に対応するＩＤをキーボードから入力して、登録ボタン２３３をクリックすることにより、指定されたＩＤがネットワーク３００を介して上記制御手段２００に送信される。これにより、上記制御手段２００は、これらのＩＤを当該使用者４００と関連付けて、マイページ情報２３１として、メモリに登録する。即ち、この場合、マイページ情報２３１は、制御手段２００に付属するメモリ（図示せず）に登録されている。
尚、当該使用者４００との関連付けは、当該使用者４００がネットワーク３００に対してネットワーク接続する際に、ログイン等により一義的に特定されているので、このログイン名等を利用することにより、容易に行なわれ得る。
【００３３】
したがって、当該使用者４００の端末機器４１０からマイページ２３０の呼出し指令があったとき、上記制御手段２００は、メモリから当該使用者４００のマイページ情報２３１を読み出して、ＩＤを各種情報に変換して、マイページ情報２３１のＨＴＭＬデータを作成して、端末機器４１０に送信する。これにより、当該端末機器４１０は、前述した図５（Ａ）に示す参照画面をフレーム２１７に表示する。
【００３４】
ここで、上記マイページの設定登録画面は、図５（Ｃ）に示すように、前もって設定可能な情報項目２３４を一覧表示し、各情報項目のうち、所望の情報項目のチェック欄２３５がチェックされ、登録ボタン２３３がクリックされたとき、指定された情報項目に対応するＩＤがネットワーク３００を介して上記制御手段２００に送信されるようにしてもよい。これにより、同様にして、上記制御手段２００は、これらのＩＤを当該使用者４００と関連付けて、マイページ情報２３１として、メモリに登録する。
さらに、前述した通常の階層式のカテゴリ毎の情報表示ページ２１０にて、各情報項目にチェック欄を設けておき、このチェック欄でチェックされた情報項目をマイページ２３０の選択された情報項目に加えるようにしてもよい。
【００３５】
次に、本実施形態の画像形成装置１００の動作について、図６〜図７を参照して説明する。
図６は、画像形成装置１０におけるマイページの設定作業を示すフローチャートである。
図６において、端末機器４１０の操作により、まずステップＡ１にて、マイページ設定登録画面の呼出し指令がネットワーク３００を介して上記制御手段２００に送信される。
【００３６】
これにより、上記制御手段２００は、ステップＡ２に示すように、図５（Ｂ）または図５（Ｃ）に示す設定登録画面のデータを端末機器４１０に表示させ、ステップＡ３にて、所望の情報項目が選択されて登録ボタン２３３がクリックされると、ステップＡ４にて、端末機器４１０から選択された情報項目のＩＤが、ネットワーク３００を介して上記制御手段２００に送信される。
これにより、上記制御手段２００は、ステップＡ５にて、これらのＩＤを当該使用者４００と関連付けて、メモリに登録する。
以上で、マイページの登録作業が完了する。
【００３７】
次に、画像形成装置１０におけるマイページの表示作業について、図７のフローチャートを参照して説明する。
図７において、端末機器４１０の操作により、まずステップＢ１にて、図５（Ａ）に示す情報表示ページ２１０が表示された状態にて、左端のフレームのマイページの選択ボタン２１４ａがクリックされると、ステップＢ２に示すように、上記端末機器４１０からマイページ呼出し指令が、ネットワーク３００を介して上記制御手段２００に送信される。
【００３８】
これにより、上記制御手段２００は、ステップＢ３に示すように、当該使用者４００に対応するマイページの各情報項目が設定されているか否かを判定する。
そして、マイページの各情報項目が設定されている場合には、上記制御手段２００は、ステップＢ４にて、設定されている各情報項目のＩＤをメモリから読み出して、ステップＢ５にて、各ＩＤに対応する情報を取得し、各ＩＤを対応する情報に置換して、ＨＴＭＬデータを作成すると共に、ステップＢ６にて、各ＩＤの設定値を画像形成装置本体１００から読み出して、これらの設定値を上記ＨＴＭＬデータに付加して、ＨＴＭＬデータ即ちマイページ情報２３１を完成する。
【００３９】
その後、上記制御手段２００は、ステップＢ７に示すように、このマイページ情報２３１をネットワーク３００を介して端末機器４１０に送信する。
これにより、端末機器４１０は、ステップＢ８に示すように、このマイページ情報２３１に基づいて、マイページ２３０を画面表示する。これにより、使用者４００は、マイページ２３０で指定した所望の情報項目について、その設定値を一画面にて参照することができる。
尚、上記ステップＢ３にて、マイページの情報項目が設定されていない場合は、上記制御手段２００は、ステップＢ６にて、情報項目が空欄であるマイページ情報２３１を作成する。
以上で、マイページの表示作業が完了する。
【００４０】
［第二実施形態］
次に、本発明の画像形成システムおよび画像形成装置の各種情報表示方法の第二の実施形態について、説明する。
この第二の実施形態においては、画像形成装置は、図１〜図２に示した画像形成装置１０とほぼ同様の構成であって、上記制御手段２００が、各使用者４００に関するマイページで指定される各情報項目のＩＤをメモリに登録しない点で異なる構成になっている。
【００４１】
この場合、マイページ表示を行なう度に、マイページの設定登録画面が表示される。
このときのマイページ設定登録画面は、図５（Ｄ）に示すように構成されている。すなわち、設定登録画面は、図５（Ｂ）に示す設定登録画面とほぼ同様であるが、登録ボタン２３３の代わりに、送信ボタン２３６が表示されており、送信ボタン２３６がクリックされることにより、マイページ呼出し指令と共に、指定されたＩＤがネットワーク３００を介して上記制御手段２００に送信される。
尚、このマイページに含まれる各情報項目のＩＤは、マイページ設定登録の際に、使用者が端末機器４１０にて適宜に保存しておき、マイページ表示の際に、保存してある各情報項目のＩＤ一覧を上記設定登録画面の入力欄に貼付けるようにしてもよい。
【００４２】
これにより、上記制御手段２００が各使用者４００に関するマイページ情報２３１をメモリに登録していなくても、各使用者４００毎にマイページ情報２３１を作成して、ネットワーク３００を介して各使用者４００の端末機器４１０に対して送信することができる。これにより、画像形成装置側の限られたメモリ容量が各使用者４００毎のマイページ情報２３１の登録のために消費されることはなく、そのメモリ容量が有効利用され得ることになる。
【００４３】
次に、この第二の実施形態による画像形成装置の動作について、図８を参照して説明する。
図８は、画像形成装置におけるマイページの表示作業を示すフローチャートである。
図８において、端末機器４１０の操作により、まずステップＣ１にて、図５（Ｄ）に示す情報表示ページ２１０が表示された状態にて、入力欄に所望の情報項目のＩＤが入力され、送信ボタン２３６がクリックされると、ステップＣ２に示すように、上記端末機器４１０からマイページ呼出し指令およびマイページに含まれる各情報項目のＩＤが、ネットワーク３００を介して上記制御手段２００に送信される。
【００４４】
これにより、上記制御手段２００は、ステップＣ３に示すように、マイページに含まれる各情報項目のＩＤに基づいて、各ＩＤに対応する情報を取得して、各ＩＤを対応する情報に置換して、ＨＴＭＬテンプレートを作成すると共に、ステップＣ４にて、各ＩＤの設定値を画像形成装置本体１００から読み出して、これらの設定値を上記ＨＴＭＬデータに付加して、ＨＴＭＬデータ即ちマイページ情報２３１を完成する。
【００４５】
その後、上記制御手段２００は、ステップＣ５に示すように、このマイページ情報２３１をネットワーク３００を介して端末機器４１０に送信する。
これにより、端末機器４１０は、ステップＣ６に示すように、このマイページ情報２３１に基づいて、マイページ２３０を画面表示する。これにより、使用者４００は、マイページ２３０で指定した所望の情報項目について、その設定値を一画面にて参照することができる。
以上で、マイページの表示作業が完了する。
【００４６】
［第三実施形態］
次に、本発明の画像形成システムおよび画像形成装置の各種情報表示方法の第三の実施形態について、説明する。
この第三の実施形態においては、画像形成装置は、第二の実施形態による画像形成装置１０とほぼ同様に、上記制御手段２００が、各使用者４００に関するマイページで指定される各情報項目のＩＤをメモリに登録しない点で異なる構成になっている。
【００４７】
さらに、この場合、制御手段２００が、マイページ設定登録の際に、端末装置４１０から送られてくるマイページの情報項目のＩＤに基づいて、マイページのＨＴＭＬテンプレートおよびＨＴＭＬデータを作成した後、ネットワーク３００を介して端末機器４１０に対して、ＨＴＴＰリクエストにマイページに含まれる各情報項目に関するクッキー情報を付加するようになっている。
尚、このクッキー情報は、端末機器４１０内に保存されている。
【００４８】
これにより、上記制御手段２００が各使用者４００に関するマイページ情報２３１をメモリに登録していなくても、各使用者４００毎に、その端末機器４１０からクッキー情報を読み出して、設定された各情報項目を取得して、マイページ情報２３１を作成することかできる。
したがって、画像形成装置側の限られたメモリ容量が各使用者４００毎のマイページ情報２３１の登録のために消費されることはなく、そのメモリ容量が有効利用され得ることになる。
また、上記クッキー情報は、使用者４００の端末機器４１０に保存されるが、使用者４００は、これを意識することなく、画像形成装置１０側でマイページ情報２３１が保存されているように、各種操作を行なうことができる。
【００４９】
次に、本実施形態の画像形成装置１０の動作について、図９〜図１０を参照して説明する。
図９は、画像形成装置１０におけるマイページの設定作業を示すフローチャートである。
図６において、端末機器４１０の操作により、まずステップＤ１にて、マイページ設定登録画面の呼出し指令がネットワーク３００を介して上記制御手段２００に送信される。
【００５０】
これにより、上記制御手段２００は、ステップＤ２に示すように、図５（Ｂ）または図５（Ｃ）に示す設定登録画面を端末機器４１０に表示させ、ステップＤ３にて、所望の情報項目が選択されて登録ボタン２３３がクリックされると、ステップＤ４にて、端末機器４１０から選択された情報項目のＩＤが、ネットワーク３００を介して上記制御手段２００に送信される。
【００５１】
これにより、上記制御手段２００は、ステップＤ５にて、マイページに含まれる各情報項目のＩＤに基づいて、各ＩＤに対応する情報を読み出して、各ＩＤを対応する情報に置換して、ＨＴＭＬテンプレートを作成すると共に、ステップＤ６にて、各ＩＤの設定値を画像形成装置本体１００から読み出して、これらの設定値を上記ＨＴＭＬデータに付加して、ＨＴＭＬデータ即ちマイページ情報２３１を作成する。
その後、上記制御手段２００は、ステップＤ７にて、このマイページ情報２３１にて設定された情報項目のクッキー情報を作成し、ステップＤ８にて、端末機器４１０に対して、ＨＴＴＰリクエストにこのクッキー情報を付加する。
以上で、マイページの登録作業が完了する。
【００５２】
次に、画像形成装置１０におけるマイページの表示作業について、図１０のフローチャートを参照して説明する。
図１０において、端末機器４１０の操作により、まずステップＥ１にて、図５（Ａ）に示す情報表示ページ２１０が表示された状態にて、左端のフレームのマイページの選択ボタン２１４ａがクリックされると、ステップＥ２に示すように、上記端末機器４１０からマイページ呼出し指令および前述したクッキー情報が、ネットワーク３００を介して上記制御手段２００に送信される。
【００５３】
これにより、上記制御手段２００は、ステップＥ３に示すように、上記呼出し指令にクッキー情報が含まれているか否かを判定し、クッキー情報が含まれている場合には、ステップＥ４にて、このクッキー情報からマイページに含まれる各情報項目のＩＤを解析し、ステップＥ５にて、そのＩＤに基づいて、各ＩＤに対応する情報を取得して、各ＩＤに対応する情報を取得して、各ＩＤを対応する情報に置換して、ＨＴＭＬテンプレートを作成すると共に、ステップＥ６にて、各ＩＤの設定値を画像形成装置本体１００から読み出して、これらの設定値を上記ＨＴＭＬデータに付加して、ＨＴＭＬデータ即ちマイページ情報２３１を完成する。
【００５４】
その後、上記制御手段２００は、ステップＥ７に示すように、このマイページ情報２３１をネットワーク３００を介して端末機器４１０に送信する。
これにより、端末機器４１０は、ステップＥ８に示すように、このマイページ情報２３１に基づいて、マイページ２３０を画面表示する。これにより、使用者４００は、マイページ２３０で指定した所望の情報項目について、その設定値を一画面にて参照することができる。
尚、上記ステップＥ３にて、クッキー情報が含まれていない場合には、上記制御手段２００は、ステップＥ６にて、情報項目が空欄であるマイページ情報２３１を作成する。
以上で、マイページの表示作業が完了する。
【００５５】
［各種情報表示プログラム］
次に、各種情報表示プログラムについて説明する。
上記の各実施形態におけるコンピュータ（画像形成装置や端末機器）の各種情報表示機能（画像形成装置の各種情報表示方法を実行する機能）は、記憶手段（例えば、ＲＯＭなど）に記憶された各種情報表示プログラムにより実現される。
【００５６】
各種情報表示プログラムは、コンピュータの制御手段（ＣＰＵなど）に読み込まれることにより、コンピュータの構成各部に指令を送り、所定の処理、たとえば、マイページ情報の作成処理、マイページ情報の送信処理、マイページ情報の表示処理などを行わせる。
これによって、各種情報表示機能は、ソフトウエアである各種情報表示プログラムとハードウエア資源であるコンピュータ（画像形成装置や端末機器）の各構成手段とが協働することにより実現される。
【００５７】
なお、各種情報表示機能を実現するための各種情報表示プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、画像形成装置や端末機器に外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【００５８】
そして、記録媒体に記録されたプログラムは、コンピュータのＲＡＭ等にロードされて、ＣＰＵ（制御手段）により実行される。この実行により、上述した本実施形態の画像形成装置や端末機器の機能が実現される。
さらに、コンピュータで各種情報表示プログラムをロードする場合、他のコンピュータで保有された各種情報表示プログラムを、通信回線を利用して自己の有するＲＡＭや外部記憶装置にダウンロードすることもできる。このダウンロードされた各種情報表示プログラムも、ＣＰＵにより実行され、本実施形態の画像形成装置や端末機器の各種情報表示機能を実現する。
【００５９】
以上、本発明の画像形成装置、画像形成装置の各種情報表示方法および画像形成装置の各種情報表示プログラムについて、好ましい実施形態を示して説明したが、本発明に係る画像形成装置、画像形成装置の各種情報表示方法および画像形成装置の各種情報表示プログラムは、上述した実施形態にのみ限定されるものではなく、本発明の範囲で種々の変更実施が可能であることは言うまでもない。
【００６０】
例えば、上述した実施形態においては、上記制御手段２００は、マイページ情報２３１を作成する際に、ＨＴＭＬフォーマットで作成するようになっているが、これに限らず、ＸＭＬフォーマット等のブラウザで閲覧可能なフォーマットで作成されるようにしてもよい。
また、上述した実施形態においては、マイページ情報２３１における各情報項目に関して、上述したＩＤは、各情報項目のみに対応して決定されているが、これに限らず、各情報項目の表示位置，文字の大きさ，文字色等の設定内容を含むようにしてもよい。
これにより、各使用者４００は、自分の好みの書式，体裁，配色のマイページを自由に構成することが可能である。
【産業上の利用可能性】
【００６１】
本発明は、画像形成装置の各種情報を端末機器に表示させるシステムに関する発明であるため、画像形成装置に関する各種情報を表示する機能を有した装置や機器に利用可能である。
【図面の簡単な説明】
【００６２】
【図１】本発明による画像形成装置の第一の実施形態の構成を示す図である。
【図２】画像形成システムの構成を示すブロック図である。
【図３】図１の画像形成装置におけるＩＤによる情報項目の表示を示す説明図である。
【図４】図１の画像形成装置におけるＩＤによる情報項目の設定を示す説明図である。
【図５】図１の画像形成装置における（Ａ）マイページの表示画面，（Ｂ）マイページの設定登録画面，（Ｃ）マイページの設定登録画面の変形例および（Ｄ）マイページの設定登録画面のさらに他の変形例を示す概略図である。
【図６】図１の画像形成装置におけるマイページの設定作業を示すフローチャートである。
【図７】図１の画像形成装置におけるマイページの表示作業を示すフローチャートである。
【図８】本発明の画像形成装置の第二の実施形態におけるマイページの表示作業を示すフローチャートである。
【図９】本発明の画像形成装置の第二の実施形態におけるマイページの設定作業を示すフローチャートである。
【図１０】図９の画像形成装置におけるマイページの表示作業を示すフローチャートである。
【符号の説明】
【００６３】
１０    画像形成装置
１００    画像形成装置本体
２００    制御手段
２１０    情報表示ページ
２１１    ＨＴＭＬテンプレート
２１２    ＨＴＭＬデータ
２１３    フレーム
２１４    選択ボタン
２１４ａ  マイページの選択ボタン
２１５    カテゴリタイトル
２１６    サブメニュー名
２１７    フレーム
２２０    設定変更ページ
２２１    設定値入力欄
２２２    設定更新ボタン
２３０    マイページ
２３１    マイページ情報
２３２    入力欄
２３３    登録ボタン
２３４    情報項目
２３５    チェック欄
２３６    送信ボタン
３００    ネットワーク
４００    使用者
４１０    端末機器
【図１】
2006155356.tif 000003
【図２】
2006155356.tif 000004
【図３】
2006155356.tif 000005
【図４】
2006155356.tif 000006
【図５】
2006155356.tif 000007
【図６】
2006155356.tif 000008
【図７】
2006155356.tif 000009
【図８】
2006155356.tif 000010
【図９】
2006155356.tif 000011
【図１０】
2006155356.tif 000012